(57)【要約】      （修正有）【課題】マスクの洗濯による微小粒子捕集効率、ウイルスろ過効率及び花粉粒子捕集効率の低下が少ないマスク用フィルターを提供する。【解決手段】少なくとも布生地製、不織布製、又は樹脂製のマスクに内蔵されるマスク用フィルター１１であって、このマスク用フィルター１１は、２枚の不織布１３の間にシート状の樹脂製フィルター材１４を保持手段で保持して三層構造に形成したことである。保持手段は、例えば熱圧着手段、糊付け手段、超音波溶着手段、又は縫着手段等である。【選択図】図１
0003231702.tif 000002
【実用新案登録請求の範囲】
【請求項１】
少なくとも布生地製、不織布製、又は樹脂製のマスクに内蔵されるマスク用フィルターであって、
該マスク用フィルターは、２枚の不織布の間にシート状の樹脂製フィルター材を保持手段で保持して三層構造に形成したこと
を特徴とするマスク用フィルター。
【請求項２】
少なくとも布生地製、不織布製、又は樹脂製のマスクに内蔵されるマスク用フィルターであって、
該マスク用フィルターは、洗濯可能であり、かつ２枚の不織布の間にシート状の樹脂製フィルター材を保持手段で保持して三層構造に形成し、前記洗濯前の値は微小粒子捕集効率が９９％以上で、ウイルスろ過効率が９９％以上で、花粉粒子捕集効率が９９％以上である構成であること
を特徴とするマスク用フィルター。
【請求項３】
前記不織布は、目付１０〜３０ｇ／ｍ２の範囲であること
を特徴とする請求項１又は２に記載のマスク用フィルター。
【請求項４】
前記保持手段は、少なくとも熱圧着手段、糊付け手段、超音波溶着手段、又は縫着手段であること
を特徴とする請求項１又は２に記載のマスク用フィルター。
【請求項５】
少なくとも布生地製、不織布製、又は樹脂製のマスクに、請求項１〜４のいずれかに記載されたマスク用フィルターを内蔵したこと
を特徴とするマスク。
【考案の詳細な説明】
【技術分野】
【０００１】
本考案は、マスク用フィルター及び該フィルターを内蔵したマスクに関するものである。
【背景技術】
【０００２】
従来のマスク用フィルターとしては、次のような構成のものが知られている。このマスク用フィルターは、不織布製のシートと、シートの両端に設けられる粘着部と、粘着部に貼付される剥離シートとから構成される（特許文献１参照）。
【０００３】
このような構成のマスク用フィルターは、剥離シートを剥がして粘着部をマスクの外側に貼り付けて使用する。
【先行技術文献】
【特許文献】
【０００４】
【特許文献１】実用新案登録第３２２７４９１号公報
【考案の概要】
【考案が解決しようとする課題】
【０００５】
この従来例のマスク用フィルターにおいては、不織布製のシートが単層構造であり、洗濯すると微小粒子や花粉等を捕集する効果が大幅に低下するので、洗濯できないという問題点を有している。
【０００６】
また、従来例のマスク用フィルターは、マスクの外側に直接貼り付けて使用するので、マスクの洗濯や持運びのときに剥がれや破損が生じやすいだけでなく、マスクの見た目がデザイン的に劣るというという問題点を有している。
【０００７】
従って、従来例におけるマスク用フィルターにおいては、マスクの洗濯による微小粒子や花粉等を捕集する効果の低下を防止することと、マスクの洗濯や持運びによる剥がれや破損を防止することと、マスクの見た目のデザイン的な問題を解消することとに解決しなければならない課題を有している。
【課題を解決するための手段】
【０００８】
前記従来例の課題を解決するための本考案の要旨は、少なくとも布生地製、不織布製、又は樹脂製のマスクに内蔵されるマスク用フィルターであって、該マスク用フィルターは、２枚の不織布の間にシート状の樹脂製フィルター材を保持手段で保持して三層構造に形成したことである。
【０００９】
前記従来例の課題を解決するための本考案の要旨は、少なくとも布生地製、不織布製、又は樹脂製のマスクに内蔵されるマスク用フィルターであって、該マスク用フィルターは、洗濯可能であり、かつ２枚の不織布の間にシート状の樹脂製フィルター材を保持手段で保持して三層構造に形成し、前記洗濯前の値は微小粒子捕集効率が９９％以上で、ウイルスろ過効率が９９％以上で、花粉粒子捕集効率が９９％以上である構成であることである。
【００１０】
また、前記不織布は、目付１０〜３０ｇ／ｍ２の範囲であること、；
前記保持手段は、少なくとも熱圧着手段、糊付け手段、超音波溶着手段、又は縫着手段であること、；
を含むものである。
【００１１】
前記従来例の課題を解決するための本考案の要旨は、少なくとも布生地製、不織布製、又は樹脂製のマスクに、請求項１〜４のいずれかに記載されたマスク用フィルターを内蔵したことである。
【考案の効果】
【００１２】
本考案に係るマスク用フィルターによれば、２枚の不織布の間にシート状の樹脂製フィルター材を保持手段、例えば、熱圧着手段、糊付け手段、超音波溶着手段、又は縫着手段等で保持して三層構造に形成したので、マスクの洗濯による微小粒子や花粉等を捕集する効果の低下が少ない。
従来例のマスク用フィルターは、洗濯すると微小粒子や花粉等を捕集する効果が大幅に低下するので、洗濯することができないが、本考案の三層構造のマスク用フィルターは、マスクを数回から十数回洗濯した後であっても、ＰＦＥ値が９７％以上、ＶＦＥ値が９９％以上に保たれることが認められる。
さらには、マスク用フィルターは、例えば布生地製、不織布製、又は樹脂製のマスクに内蔵されるので、マスクの洗濯や持運びのときに破損が生じにくいだけでなく、マスクの見た目のデザインが劣らないという種々の優れた効果を奏する。
【００１３】
また、本考案に係るマスク用フィルターによれば、ＰＭ２．５を含む微小粒子や花粉などを捕集する効率が極めて高いという優れた効果を奏する。
【００１４】
不織布は、目付１０〜３０ｇ／ｍ２の範囲であることによって、不織布の厚みが比較的薄めなので、着用者の呼吸が楽であり、また、ＰＭ２．５を含む微小粒子や花粉などを捕集する能力を備えるという優れた効果を奏する。
【００１５】
本考案に係るマスクによれば、２枚の不織布の間にシート状の樹脂製フィルター材を保持手段、例えば、熱圧着手段、糊付け手段、超音波溶着手段、又は縫着手段等で保持して三層構造に形成したマスク用フィルターが内蔵されるので、洗濯による微小粒子や花粉等を捕集する効果の低下が少ない。
従来例のマスク用フィルターが内蔵されるマスクは、洗濯すると微小粒子や花粉等を捕集する効果が大幅に低下するので、洗濯することができないが、本考案の三層構造のマスク用フィルターが内蔵されたマスクは、数回から十数回洗濯した後であっても、ＰＦＥ値が９７％以上、ＶＦＥ値が９９％以上に保たれることが認められる。
さらには、マスク用フィルターがマスクに内蔵されるので、マスクの洗濯や持運びのときに破損が生じにくいだけでなく、マスクの見た目のデザインが劣らないという種々の優れた効果を奏する。
【図面の簡単な説明】
【００１６】
【図１】本考案に係るマスク用フィルターを拡大して示す略示的な断面図である。
【図２】本考案に係るマスクの正面からの斜視図である。
【考案を実施するための形態】
【００１７】
次に、本考案の実施の形態について図面を参照しながら説明する。まず、図１において、符号１１はマスク用フィルターを示し、このマスク用フィルター１１は、布生地製、不織布製、又は樹脂製等のマスク１２に内蔵されるフィルターであり（図２参照）、２枚の不織布１３の間にシート状の樹脂製フィルター材１４を保持手段、例えば熱圧着手段、糊付け手段、超音波溶着手段、又は縫着手段等で保持して三層構造に形成される。
なお、ここで言うシート状とは、フィルム状を包含する意味である。
【００１８】
不織布１３は、目付１０〜３０ｇ／ｍ２の範囲である。目付は、１平方メートルあたりの質量で、不織布の厚みを表す単位であり、目付１０〜３０ｇ／ｍ２の範囲は、不織布の厚みが比較的薄めなので着用者の呼吸が楽である。また、微小粒子や花粉などを捕集する能力を備える。
【００１９】
マスク用フィルター１１は、ＰＭ２．５を含む微小粒子や花粉などを捕集する効率が極めて高い。
また、マスク用フィルター１１は、洗濯前の値で、微小粒子捕集（ろ過）効率（ＰＦＥ）が９９％以上であり、ウイルスろ過効率（ＶＦＥ）が９９％以上であり、花粉粒子捕集（ろ過）効率が９９％以上である。
微小粒子捕集効率（ＰＦＥ）が９９％は、約０．１μｍの微小粒子を９９％捕集（ろ過）するということであり、ウイルスろ過効率（ＶＦＥ）が９９％は、約０．１〜０．５μｍのウイルスを含む粒子を９９％捕集（ろ過）するということであり、花粉粒子捕集効率が９９％は、約３０μｍの微小粒子を９９％捕集（ろ過）するということである。
従って、微小粒子や花粉の侵入を防止することに有効である。
また、従来例のマスク用フィルターは、洗濯すると微小粒子や花粉等を捕集する効果が大幅に低下するので、洗濯することができないが、本考案の三層構造のマスク用フィルターは、マスクを数回から十数回洗濯した後であっても、ＰＦＥ値が９７％以上、ＶＦＥ値が９９％以上に保たれることが認められる。
【００２０】
次に、本願考案のマスク用フィルター１１を内蔵したマスク１２について説明する。図２に示すように、耳掛け部１５が両側に設けられて、外側の外側布１６と内側の内側布（図示せず）とを有する布生地製のマスク１２であって、外側布１６と内側布との間には、マスク用フィルター１１が挟持された状態で内蔵されている。
本考案に係るマスク１２によれば、２枚の不織布１３の間にシート状の樹脂製フィルター材１４を保持手段、例えば熱圧着手段、糊付け手段、超音波溶着手段、又は縫着手段等で保持して三層構造に形成されるマスク用フィルター１１が内蔵されるので、マスクの洗濯による微小粒子や花粉等を捕集する効果の低下が少ない。
なお、図２に示すマスク１２は、布生地製について示しているが、これ以外にも不織布製、又は樹脂製等の様々な材質や形状のマスクでもよいことは勿論である。
【００２１】
以上のように構成されるマスク用フィルター１１は、２枚の不織布１３の間にシート状の樹脂製フィルター材１４を保持手段、例えば、熱圧着手段、糊付け手段、超音波溶着手段、又は縫着手段等で保持して三層構造に形成したので、マスク１２の洗濯による微小粒子や花粉等を捕集する効果の低下が少ない。
従来例のマスク用フィルターは、洗濯すると微小粒子や花粉等を捕集する効果が大幅に低下するので、洗濯することができないが、本考案の三層構造のマスク用フィルター１１は、マスク１２を数回から十数回洗濯した後であっても、ＰＦＥ値が９７％以上、ＶＦＥ値が９９％以上に保たれることが認められる。
さらには、マスク用フィルター１１は、例えば布生地製、不織布製、又は樹脂製のマスク１２に内蔵されるので、マスク１２の洗濯や持運びのときに破損が生じにくいだけでなく、マスク１２の見た目のデザインが劣らない。
【００２２】
また、以上のように構成されるマスク１２は、２枚の不織布１３の間にシート状の樹脂製フィルター材１４を保持手段、例えば、熱圧着手段、糊付け手段、超音波溶着手段、又は縫着手段等で保持して三層構造に形成したマスク用フィルター１１が内蔵されるので、洗濯による微小粒子や花粉等を捕集する効果の低下が少ない。
従来例のマスク用フィルターが内蔵されるマスクは、洗濯すると微小粒子や花粉等を捕集する効果が大幅に低下するので、洗濯することができないが、本考案の三層構造のマスク用フィルター１１が内蔵されたマスク１２は、数回から十数回洗濯した後であっても、ＰＦＥ値が９７％以上、ＶＦＥ値が９９％以上に保たれることが認められる。
さらには、マスク用フィルター１１がマスク１２に内蔵されるので、マスク１２の洗濯や持運びのときに破損が生じにくいだけでなく、マスク１２の見た目のデザインが劣らない。
【符号の説明】
【００２３】
１１  マスク用フィルター
１２  マスク
１３  不織布
１４  樹脂製フィルター材
１５  耳掛け部
１６  外側布
【図１】
0003231702.tif 000003
【図２】
0003231702.tif 000004